(57)【要約】【課題】遊技盤の薄板状の装飾板を利用して遊技者にとって理想的な位置にスピーカ機能を備えた遊技盤を提供する。【解決手段】所定厚さを有する板材１９と、前記板材１９の前面に貼着され図柄，文字等の装飾模様が描かれた薄板状の装飾板２０とで構成される遊技盤８であって、前記板材１９に開口４９を開設すると共に、前記開口４９内に電磁コイル５８及び磁石５６を臨ませ、前記電磁コイル５８に音声電流を印加しその電磁力により前記装飾板２０を振動させ音声を発するようにした。【選択図】  図４
2004229835.tif 000002
【特許請求の範囲】
【請求項１】
所定厚さを有する板材と、前記板材の前面に貼着され図柄，文字等の装飾模様が描かれた薄板状の装飾板とで構成される遊技盤であって、
前記板材に開口を開設すると共に、前記開口内に電磁コイル及び磁石を臨ませ、前記電磁コイルに音声電流を印加しその電磁力により前記装飾板を振動させ音声を発するようにしたことを特徴とする遊技盤。
【請求項２】
前記電磁コイルを常に前記装飾板に接触させるように付勢する付勢部材を備えたことを特徴とする請求項１記載の遊技盤。
【請求項３】
前記電磁コイルにフランジ部を形成し、前記フランジ部を前記装飾板と接触させるようにしたことを特徴とする請求項１又は２記載の遊技盤。
【発明の詳細な説明】
【０００１】
【発明の属する技術分野】
本発明は、パチンコ遊技機に設けられる遊技盤に関し、特にスピーカ機能を備えた遊技盤に関するものである。
【０００２】
【従来の技術】
従来、パチンコ遊技機には遊技者にとって有利な特別遊技状態になったときなどに、それを知らせて遊技の雰囲気を盛り上げるために効果音発生用のスピーカが使用されている。該スピーカは例えば、前面枠に開閉自在に装着されるガラス扉枠に装着されたり、ガラス扉枠と共に前面枠に開閉自在に装着される前面板に設けられる打球供給皿内に内蔵したりしていた（例えば、特許文献１参照。）。
【０００３】
【特許文献１】
特開平７−２１３７２２号公報
【０００４】
【発明が解決しようとする課題】
しかしながら、上記したようにガラス扉枠や打球供給皿内にスピーカを設けた場合には、該ガラス扉枠及び打球供給皿がパチンコ遊技機に開閉自在に装着されているため、パチンコ遊技機の主体枠に設けられる制御基板に配線するその配線処理が複雑となり煩わしいものになりがちであった。また、パチンコ遊技機にスピーカを固定的に取着される場所は限定され、開閉しない余剰球受皿に設けることも考えられるが、該余剰球受皿はパチンコ遊技機の下方に位置しているため、遊技盤面を見て遊技する遊技者にとって場所的に聞こえ難いものとなる。
【０００５】
そこで、本発明は上記課題を解決するためになされたもので、その目的とするところは、遊技盤の薄板状の装飾板を利用して遊技者にとって理想的な位置にスピーカ機能を備えた遊技盤を提供することにある。
【０００６】
【課題を解決するための手段】
かかる目的を達成するため、請求項１記載の発明は、所定厚さを有する板材と、前記板材の前面に貼着され図柄，文字等の装飾模様が描かれた薄板状の装飾板とで構成される遊技盤であって、前記板材に開口を開設すると共に、前記開口内に電磁コイル及び磁石を臨ませ、前記電磁コイルに音声電流を印加しその電磁力により前記装飾板を振動させ音声を発するようにしたことを特徴とする。前記開口は前記装飾板により前面を閉塞しており、前記電磁コイル及び磁石により電気信号を振動に変化させ、前記開口前面の装飾板に振動を伝達するようにした。前記電磁コイルは筒体にコイルを巻装するのが好ましい。前記装飾板は、合成樹脂製又は紙製であっても、合成樹脂製の薄板と紙板を重合接着したものであってもよい。
【０００７】
請求項２記載の発明は、請求項１記載の発明において、前記電磁コイルを常に前記装飾板に接触させるように付勢する付勢部材を備えたことを特徴とし、確実に振動を装飾板に伝達し音声電流を音声として発することができる。前記付勢部材は、スプリング，板ばね，ウレタン等復元弾性を備えたものであればよい。
【０００８】
請求項３記載の発明は、請求項１又は２記載の発明において、前記電磁コイルにフランジ部を形成し、前記フランジ部を前記装飾板と接触させるようにしたことを特徴とし、音の発声をより確実なものとする。
【０００９】
上記構成を採用することにより、振動が前記装飾板に直接伝達され、装飾板を振動体とした「スピーカ」とすることができ、直接的に音声を発声させることができる。また、振動により遊技盤面を流下する遊技球の動きを変化させることができる。
【００１０】
前記遊技盤に設けられる盤面部品のフランジ状の取付基板に開口部を形成し、該開口部を前記遊技盤に開設した開口にほぼ合致させて、該開口の縁取りをなすようにするのが好ましい。
【００１１】
前記遊技盤に設けられる盤面部品のフランジ状の取付基板に開口部を形成し、その前面に図柄，文字等の装飾模様が描かれた薄板状の装飾シールが貼着され、前記開口部に電磁コイルを臨ませ、前記電磁コイルと磁石を関連させ該電磁コイルに音声電流を印加しその電磁力により前記装飾板を振動させ音声を発するようにしてもよい。前記遊技盤に貫通状の開口を開設すると共に、前記開口内に前記電磁コイル及び磁石を臨ませ、前記電磁コイルを装飾シールに接触状に設け、電磁コイルの振動を前記装飾シールに伝達させ音声を発するようにすればよい。前記装飾シールの粘着材により確実に電磁コイルと接触状態にすることができる。また、前記電磁コイルを常に前記装飾シールに接触させるように付勢する付勢部材を備えるようにしてもよい。
【００１２】
【発明の実施の形態】
以下に本発明に係るパチンコ遊技機の実施の形態を図面と共に説明する。図１は本発明のパチンコ遊技機の正面図であり、図において、１はパチンコ遊技機の機枠、２は該機枠１の前面に開閉自在に装着される主体枠としての前面枠で、その前面に前記前面枠２と同幅を有したガラス扉枠３と球を整列して導く整流路を備えた打球供給皿４を装着した前面板５とがそれぞれ開閉自在に蝶着されており、その下方に前記打球供給皿４の余剰球が貯留される余剰球受皿６及びパチンコ球の打力を調節する操作ハンドル７が設けられている。また、前記ガラス扉枠３の後側に位置して前面枠２に遊技盤８が装着されている。そして、前面枠２の裏面側に遊技内容，ランプ，スピーカ等の制御基板が設けられている。
【００１３】
前記ガラス扉枠３は、図４に示すように透明板としてのガラス板９を介して遊技盤８が視認できるように額縁状に形成されており、前面枠２に軸着される枠体１０と、該枠体１０の前面に取付けられる装飾カバー体１１とにより大略構成される。そして、枠体１０の裏面側には上周枠部を除いて、前記ガラス板９が複数嵌るガラス挿入溝１２ａ，１２ａが設けられたコ字形の保持枠材１２が取付けられている。また、前記ガラス扉枠３の装飾カバー体１１には多数の透音孔１５が開設されており、前記透音孔１５の後面には、図４に示すように該透音孔１５から針金等の不正具の侵入を防ぐ不正防止手段としての障害片１６が設けられている。
【００１４】
前記遊技盤８は、図２及び図３に示すように遊技盤本体として所定厚さを有する板材１９の前面に、図柄，文字等が描かれた所謂「セル板」といわれる薄板状の装飾板２０が貼着されている。具体的に装飾板２０は、０．２ｍｍ程度のポリエチレンテレフタレート等の合成樹脂製の薄板に図柄模様Ｍをオフセット印刷等により印刷し、該合成樹脂製の薄板の裏面に紙板を重合接着している。なお、前記装飾板２０には、図５に示すように「アンテナ」，「時計」，「テレビゲーム機」，「スピーカ」等の図柄Ｍ１及び「ＢＳ」，「３ＣＨ」等の文字Ｍ２がデザインとして描かれており、後述する盤面部品としての可変表示装置２２の形状及び表示内容と関連性を持たせたデザインとしている。そして、所定箇所に多種の盤面部品が配設される取付開口２４，２４及びアウト球口３１が開設されている。なお、装飾板２０は紙板に図柄模様Ｍを印刷して合成樹脂製の薄板を重合接着しても、合成樹脂製の薄板又は紙板のみとしてもよい。
【００１５】
前記遊技盤８の前面にはガイドレール２５が敷設されており、該ガイドレール２５に囲まれる遊技領域８ａには多種の盤面部品が配設される。具体的には、図１に示すように盤面部品として略中央から右側方にかけて可変表示装置２２が設けられ、該可変表示装置２２の直下に位置して変動型の始動入賞口２６が設けられ、その下方に大入賞装置２３が装着されている。また、可変表示装置２２の側方の適宜位置には通過ゲート２７，一般入賞口２８や打球の流下方向を規制または誘導する風車２９または障害釘３０が配設されている。前記始動入賞口２６の内部には、入賞球を検出する入賞球検出器２６ａが設けられており、該入賞球検出器２６ａによる検知により前記可変表示装置２２の表示を変動する。
【００１６】
前記大入賞装置２３は周知のもので、図１に示すように取付基板３２の前面に横長の開口窓３３が設けられると共に該開口窓３３に開閉扉３４が枢着され、該開閉扉３４を前側に傾動して開口窓３３を開成した遊技者にとって有利となる第１の状態と、起立して開口窓３３を閉成した遊技者にとって不利となる第２の状態とに自在に変換できるようになっている。
【００１７】
図２は可変表示装置２２の正面図を示す。該可変表示装置２２は、遊技盤８の表面に取付けるフランジ状の取付基板３６を有し、該取付基板３６のほぼ中央に窓孔３７を形成した主枠部３８を介して種々の数字，文字，図柄等の表示記号を変動可能に表示する液晶ディスプレイ型の可変表示部３９が配設され、窓孔３７から可変表示部３９の表示を視認するようにしている。前記主枠部３８は、可変表示部３９をテレビ画面に見立てて、該主枠部３８の側方にチャンネル等の擬似体４０が設けられている。また、前記取付基板３６は２〜３ｍｍ程度の厚さを有し、表面に鏡面加工が施されている。そして、該取付基板３６には、縁枠部４１として前記遊技盤８に施された図柄Ｍ１，文字Ｍ２等の装飾模様Ｍが臨む開口部４３が形成されている。この実施の形態において、可変表示部３９の周囲に位置する前記遊技盤８に施された「アンテナ」，「時計」，「スピーカ」等の図柄Ｍ１及び「ＢＳ」，「３ＣＨ」等の文字Ｍ２が前記開口部４３から臨むようにしている。なお、前記主枠部３８と縁枠部４１とを別体で形成するようにして、これら主枠部３８と縁枠部４１とをビス等により一体的に組付けるようにしてもよく、破損しやすい縁枠部４１を別体で形成することで保管が容易となり、しかも縁枠部４１が破損しても可変表示装置２２全体を交換することなく縁枠部４１のみの交換でよく、部分交換が可能でコストの低減化を図ることができる。このように、遊技盤８に描かれた図柄，文字等の装飾模様Ｍを盤面部品の取付基板に開設した開口部４３から臨ませるようにしたので、取付基板３６に図柄を施すことがなくコストの低減化を図ると共に斬新なデザインとすることができ、絵ずれ等がなく見栄えがよく立体感及び盤面部品との一体感を味わうことができる。
【００１８】
また、図４に示すように遊技盤８（板材１９）に前面を装飾板２０で閉塞するように開口４９を開設すると共に、筒体５９にコイル５７を巻装した電磁コイル５８と、磁石５６と、前記電磁コイル５８の筒体５９を前記装飾板２０に常に接触させるように付勢する付勢部材と、を備えた振動発生手段Ｓを前記開口４９内に臨ませている。そして、前記振動発生手段Ｓの磁界の作用により電気信号を振動に変化させ該振動を前記装飾板２０に伝達するようにして音を発声させるようにして、装飾板２０を振動体とした「スピーカ」としている。具体的には、取付枠５５に固着した磁石５６に形成された溝部に、筒体５９にコイル５７が巻装された電磁コイル５８を進退自在に遊挿している。前記筒体５９はフランジ部５９ａを有し、付勢部材としてのスプリング６０により付勢して、常に前記フランジ部５９ａが装飾板２０に当接するようにしている。このとき、スプリング６０により電磁コイル５８がずれないように、前記スプリング６０の両端を前記取付枠５５及びフランジ部５９ａに固着するのが好ましい。なお、前記開口４９は装飾板２０の「スピーカ」図柄Ｍ１に対応位置して開設するのが好ましく、さらに前記取付基板３６の開口部４３を前記開口４９の縁取りをなすように開設するのがよい。また、複数箇所に開口４９を開設し、各開口４９内に振動発生手段Ｓを臨ませ、複数の「スピーカ」機能を設けるようにしてもよい。なお、前記電磁コイル５８はコイル５７を筒体５９に巻装して形成したが、コイル５７のみを渦状に巻回したものであってもよい。
【００１９】
上記構成を採用することにより、電磁コイル５８に音声電流を印加しその電磁力により装飾板２０を振動させることから、遊技盤８の前面が振動することになり、それに伴い該遊技盤８の前面に位置するガラス扉枠３のガラス板９を振動させることになり、臨場感ある音を発声させることができる。なお、前記振動発生手段Ｓからの振動を直接的にガラス板９，保持枠材１２に伝達するようにしてもよい。また、前記ガラス扉枠３の装飾カバー体１１に開設された多数の透音孔１５により、遊技者が前記「スピーカ」からの効果音を聞きやすくしている。このように、遊技盤８に直接「スピーカ」機能を設けるようにしたので、遊技者にとって最適位置（ほぼ遊技者の耳の高さ位置）に設けられ、しかも従来のようにスピーカをガラス扉枠３等の開閉体に設けることがないので配線処理が容易となり、煩わしい配線処理から解放される。
【００２０】
上記構成のパチンコ遊技機は、遊技盤８の遊技領域８ａに打ち込まれた打球が、始動入賞口２６に入賞すると、図示しない球払出装置から入賞球１個に相当する所定の景品球が払い出されると共に、可変表示装置２２の可変表示部３９に表示された数字，文字，図柄等がランダムに変動する。そして、所定時間経過すると変動が止まり、予め設定された数字，文字または図柄（例えば「７，７，７」等のゾロ目）で停止すると「大当り」となり、大入賞装置２３の開閉扉３４を連続して開ける動作を繰り返す特定遊技状態となる。このとき、電磁コイル５８に音声電流を印加し、その電磁力により前記装飾板２０を振動体とした「スピーカ」から効果音が発声する。そして、遊技者の耳の高さ位置が遊技盤８の正に前方に位置することから、迫力ある音響効果を楽しむことができる。
【００２１】
また、装飾板２０が直接的に振動することにより、遊技盤８面を流下する遊技球に直に影響を与え、場合によっては弾き飛ばすような予想し得ない変化を与えることができ、興趣ある遊技を楽しむことができる。なお、遊技内容により「スピーカ」から発せられる音の大小，テンポを変化させるのが好ましく、多種の周波数により遊技球の流下態様が多様となる。また、装飾板２０の厚さを変えることでも音質及び振動を変化させることができる。さらに、振動発生手段Ｓの磁石５６の磁力の大きさによって遊技球の流下方向又は動きに変化をもたらすことができ、電磁コイル５８への通電による磁界の変化によっても僅かながら遊技球の流下態様に影響を与え得る。
【００２２】
また、実施の形態において電磁コイルを常に装飾板と接触状にするために、付勢部材としてスプリングを設けるようにしたが、付勢部材として板ばね，ウレタン等復元弾性を備えたものであってもよい。また、電磁コイル５８を直接装飾板２０に接着剤等により接触状に固定するようにしてもよい。
【００２３】
実施の形態において、取付基板３６に開口部４３を開設した盤面部品を可変表示装置２２として説明したが、フランジ状の取付基板を有する盤面部品であればよく、所謂「羽根物タイプ」の役物としてもよい。また、前記した盤面部品としての大入賞装置２３の取付基板３２に開口部４３を設けるようにしても、盤面部品として所謂「チューリップタイプ」の始動入賞口２６の取付基板に遊技盤８に描かれた装飾模様Ｍが臨む開口部を形成するようにしてもよい。さらに、前記したように盤面部品は、必ずしも入賞装置に限定されるものではなく、遊技領域８ａに設けられる通過ゲート２７，一般入賞口２８，風車２９であってもサイドランプ等のランプ飾りであってもよく、大きさにも限定されるものではない。また、例えば可変表示装置２２と始動入賞口２６等の複数の盤面部品を取付基板によって一体的に設けるようにしてもよく、その連設した取付基板に遊技盤８に描かれた図柄，文字等の装飾模様Ｍが臨む開口部４３を開設するようにすればよい。
【００２４】
そして、始動入賞口２６等の入賞口の近傍に位置し、遊技球の通過路となる開口部４３の装飾板２０後面に開口４９を開設すると共に該開口４９内に前記振動発生手段Ｓを臨ませ、電磁コイル５８に音声電流を印加して装飾板２０が振動することにより効果音を発声させ、その発生する振動により始動入賞口２６への入賞率を変化させることもできる。さらに、可変表示装置２２等の下部に遊技球が遊動し始動入賞口２６に向って流落する遊動棚を形成し、前記開口４９内に設けた振動発生手段Ｓの振動が前記遊動棚に伝わるようにして、始動入賞口２６への入賞率を変化させるようにしてもよい。なお、前記遊動棚に揺動部材を設け、振動により該揺動部材を揺動させ効果音を視認させると共に該揺動部材の揺動により遊技球の動向を変化させるようにしてもよい。
【００２５】
なお、実施の形態において、開口４９を盤面部品の取付基板３６の開口部４３に位置して開設するようにしたが、必ずしも開口部４３に位置して設けることはなく、遊技盤８の適宜位置に設けるようにすればよい。このとき、開口４９を大きく開設するのが好ましく、当然該開口４９の前面に位置する装飾板２０が大きくなり、より音響効果に優れ効果的なものとなる。また、前記開口４９を複数箇所に開設し、電気信号を振動に変化させる電磁コイル及び磁石等からなる振動発生手段Ｓを設けて、効果音を発声させて音響効果を高めるようにしてもよく、順番に効果音を発声させる等多種なパターンで効果音を発声させ、その振動により予想し得ない遊技球の複雑な流下を楽しむことができる。特に始動入賞口２６の周囲に周回するように設けたり、始動入賞口２６の上方に並列状に設けたりすると効果的である。
【００２６】
また、盤面部品の取付基板の表面または開口部を閉塞するように貼着される装飾板としてのアルミ等の装飾用シールを振動体として、電磁コイルを前記装飾用シールに接触させ、電磁コイルの振動を伝達して音声を発声させるようにしてもよい。このとき、前記装飾シールの粘着材により確実に電磁コイルと接触状態にすることができる。なお、前記実施の形態に示したように電磁コイルを常に前記装飾シールに接触させるように付勢する付勢部材を備えるようにしてもよい。また、多種の音程を出すように複数の開口部の大きさを変更したり、装飾用シールの厚さを変更したりしてもよい。それに伴い振動も変化し、より興趣のある遊技とすることができる。なお、振動による遊技球の変化を主な目的とするならば、振動体を備えた通常のスピーカを設けるようにしてもよいが、本発明のように直接的に振動させたほうがより効果的である。
【００２７】
なお、上記「スピーカ」の構造としては他の箇所にも適用でき、例えば打球供給皿４，余剰球受皿６及び操作ハンドル７に「スピーカ」を設ける際に、打球供給皿４，余剰球受皿６及び操作ハンドル７の前面を覆うカバー体に開口を開設し、該開口を閉塞するように薄板状の装飾板又は装飾シールを貼着し、該装飾板又は装飾シールに接触状に磁石と関連させた電磁コイルを設け、電磁コイルに音声電流を印加しその電磁力により前記装飾板又は装飾シールを振動させ音声を発するようにしてもよい。打球供給皿４に該「スピーカ」を設けた場合には、その振動により整流路での球詰りを防止し、且つリーチ予告，当り発生時等に「スピーカ」から効果音を発声させることで、振動により揺れる球同士の接触音又は球自体の揺れを視認することによって確認することができる。また、操作ハンドル７に「スピーカ」を設けた場合には、その振動を利用してリーチ予告としたり当り発生予告としたりして、その振動を報知手段とすることができる。なお、前記打球供給皿４，余剰球受皿６を上下反転し、下方に打球供給皿４を設けてもよく、打球供給皿４及び余剰球受皿６の機能を１つにした球受皿としてもよい。
【００２８】
【発明の効果】
以上述べたように、本発明に係る遊技盤は、遊技盤に貼着される図柄，文字等の装飾模様が描かれた装飾板を利用してスピーカ機能を備えるようにしたので、配線処理も容易で遊技者にとって理想的な位置となり音響効果もよく、コストの低減化を図ると共にその振動を利用して興趣ある遊技内容とすることができる。
【図面の簡単な説明】
【図１】パチンコ遊技機の正面図である。
【図２】遊技盤に取付けた可変表示装置部分の正面図である。
【図３】振動発生手段の分解斜視図である。
【図４】振動発生手段部分の要部断面図である。
【図５】盤面部品を外した遊技盤の正面図である。
【符号の説明】
８            遊技盤
１９          板材
２０          装飾板
４９          開口
５６          磁石
５７          コイル
５８          電磁コイル
５９          筒体
５９ａ        フランジ部
６０          スプリング（付勢部材）
Ｍ            装飾模様
Ｍ１          図柄（装飾模様）
Ｍ２          文字（装飾模様）
Ｓ            振動発生手段
【図１】
2004229835.tif 000003
【図２】
2004229835.tif 000004
【図３】
2004229835.tif 000005
【図４】
2004229835.tif 000006
【図５】
2004229835.tif 000007